(57)【要約】【課題】カラープリンタで印刷したり、カラーコピー機でコピーすることによって複製された媒体における画像の特徴であるドットの集まりを検出することによって、高い精度で真正な媒体と不正な媒体とを識別して媒体の真偽を判別することができ、偽造媒体を適切に排除することができるようにする。【解決手段】媒体の画像を取得する画像取得部１４と、複製された不正な媒体の画像におけるドットの集まりを検出する解析部１６とを有する。【選択図】          図１
2005004321.tif 000002
【特許請求の範囲】
【請求項１】
（ａ）媒体の画像を取得する画像取得部と、
（ｂ）複製された不正な媒体の画像におけるドットの集まりを検出する解析部とを有することを特徴とする媒体認識装置。
【請求項２】
前記解析部は、前記媒体の画像の二値化処理を実行し、二値画像に含まれる島の数に基づいて、真正な媒体と不正な媒体とを識別する請求項１に記載の媒体認識装置。
【請求項３】
前記解析部は、真正な媒体の画像における島の数があらかじめ蓄積されている辞書を備え、前記二値画像に含まれる島の数を、前記辞書に蓄積されている島の数と照合する請求項２に記載の媒体認識装置。
【請求項４】
前記解析部は、前記媒体の画像の二値化処理を実行し、二値画像に含まれる島の数と面積との関係に基づいて、真正な媒体と不正な媒体とを識別する請求項１に記載の媒体認識装置。
【請求項５】
前記解析部は、真正な媒体の画像における所定の数値以下の面積の島の数があらかじめ蓄積されている辞書を備え、前記二値画像に含まれる所定の数値以下の面積の島の数を、前記辞書に蓄積されている所定の数値以下の面積の島の数と照合する請求項４に記載の媒体認識装置。
【発明の詳細な説明】
【０００１】
【発明の属する技術分野】
本発明は、媒体認識装置に関するものである。
【０００２】
【従来の技術】
従来、銀行、信用金庫、郵便局、消費者金融会社等の金融機関の支店等に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置や両替機、また、商店や路上に配設された自動販売機等には、紙幣等の有価証券の真偽を判別するための媒体認識装置が配設されている。該媒体認識装置が真正な紙幣等の媒体を認識することによって、前記媒体認識装置が認識することのできない媒体を偽造紙幣等の不正な媒体として排除することができる。そして、種々の多様な媒体を認識することができる媒体認識装置に関する技術が提案されている（例えば、特許文献１参照。）。
【０００３】
図２は従来の媒体認識装置の概略を示す斜視図、図３は従来の媒体認識装置によって得られた出力を示す図である。
【０００４】
図２に示されるように、前記媒体認識装置は、紙幣等の媒体１０１の両側に配設された発光素子１００ａ及び受光素子１００ｂから成る透過光型の光学センサ１００を有する。この場合、前記媒体１０１は、矢印Ａで示されるように、前記媒体認識装置の図示されない搬送経路を搬送され、該搬送経路の途中に配設された前記光学センサ１００によって媒体１０１上に印刷された文字、模様、写真等の画像１０１ａのイメージデータ、すなわち、画像データが取得される。図２に示される例においては、発光素子１００ａから照射されて受光素子１００ｂによって受光される光ビームの光路１０２と交差する搬送ライン１０３上に存在する画像１０１ａの画像データが、前記光学センサ１００によって取得される。
【０００５】
なお、透過光型の前記光学センサ１００に代えて、反射光型の光学センサを使用することもできる。この場合、発光素子及び受光素子は、ともに搬送経路を搬送され媒体の一方の側に配設される。また、磁気センサを使用する媒体認識装置も提供されている。
【０００６】
図３（ｂ）は、前記媒体１０１上に印刷された文字、模様、写真等の画像１０１ａを取得した光学センサ１００の出力波形を示している。この場合、図３（ａ）に示されるように、搬送ライン１０３上に存在する画像１０１ａを構成する線が光学センサ１００によって取得されて出力されている。そして、前記媒体認識装置は、前記出力波形の形状によって画像１０１ａの特徴を把握し、該画像１０１ａの特徴に基づいて媒体１０１を認識する。
【０００７】
この場合、前記媒体認識装置は、前記光学センサ１００によってあらかじめ取得した各種媒体における画像の特徴を蓄積した辞書を記憶手段の内部に備えている。そして、前記画像１０１ａの特徴を前記辞書に蓄積された各種媒体における画像の特徴と照合することによって、前記媒体１０１を認識する。すなわち、前記画像１０１ａの特徴が辞書に蓄積された画像の特徴と一致した場合には前記媒体１０１を真正な媒体と認識し、前記画像１０１ａの特徴が辞書に蓄積されたいずれの画像の特徴とも一致しない場合には前記媒体１０１を不正な媒体と認識することによって、前記媒体１０１の真偽を判別する。
【０００８】
【特許文献１】
特開平１０−３０２１１１号公報
【０００９】
【発明が解決しようとする課題】
しかしながら、前記従来の媒体認識装置においては、高い精度で媒体を認識することができないので、真正な媒体と不正な媒体とを識別することができない。そのため、前記従来の媒体認識装置を自動取引装置、両替機、自動販売機等の装置に配設しても、偽造紙幣のような不正な有価証券を適切に排除することができなくなってしまう。
【００１０】
近年においては、カラースキャナ、カラープリンタ、カラーコピー機等の進歩によって、紙幣等の媒体をカラースキャナで取り込みカラープリンタで印刷したり、カラーコピー機でコピーすることによって、大きさ、色、形等の見た目では判別することができないほどに高い精度で媒体を複製することができるようになっている。そのため、前記従来の媒体認識装置では、高い精度で複製された偽造媒体と真正な媒体とを識別することができず、偽造紙幣のような不正な有価証券を適切に排除することができない。
【００１１】
もっとも、発光素子が照射する光ビームの径を細くし、より細かい画像データを取得することができるようにして、高い精度で複製された偽造媒体であっても、真正な媒体と識別することができるようにする技術も提案されている。しかし、より細かい画像データを取得すると、該画像データの情報量が大きくなり、辞書に蓄積された画像データとの照合に時間がかかってしまう。また、辞書に蓄積された画像データの情報量が膨大になってしまう。
【００１２】
さらに、より細かい画像データを取得する場合、媒体に印刷の滲（にじ）みやずれなどがあったときには、滲みやずれも画像データとして取得してしまう。そのため、真正な媒体であっても印刷の滲みやずれがある媒体は、適切に真偽を判別することができなくなってしまう。すなわち、媒体認識装置の性能が媒体自体の品質に大きく依存してしまう。
【００１３】
本発明は、前記従来の媒体認識装置の問題点を解決して、カラープリンタで印刷したり、カラーコピー機でコピーすることによって複製された媒体における画像の特徴であるドットの集まりを検出することによって、高い精度で真正な媒体と不正な媒体とを識別して媒体の真偽を判別することができ、偽造媒体を適切に排除することができる媒体認識装置を提供することを目的とする。
【００１４】
【課題を解決するための手段】
そのために、本発明の媒体認識装置においては、媒体の画像を取得する画像取得部と、複製された不正な媒体の画像におけるドットの集まりを検出する解析部とを有する。
【００１５】
本発明の他の媒体認識装置においては、さらに、前記解析部は、前記媒体の画像の二値化処理を実行し、二値画像に含まれる島の数に基づいて、真正な媒体と不正な媒体とを識別する。
【００１６】
本発明の更に他の媒体認識装置においては、さらに、前記解析部は、真正な媒体の画像における島の数があらかじめ蓄積されている辞書を備え、前記二値画像に含まれる島の数を、前記辞書に蓄積されている島の数と照合する。
【００１７】
本発明の更に他の媒体認識装置においては、さらに、前記解析部は、前記媒体の画像の二値化処理を実行し、二値画像に含まれる島の数と面積との関係に基づいて、真正な媒体と不正な媒体とを識別する。
【００１８】
本発明の更に他の媒体認識装置においては、さらに、前記解析部は、真正な媒体の画像における所定の数値以下の面積の島の数があらかじめ蓄積されている辞書を備え、前記二値画像に含まれる所定の数値以下の面積の島の数を、前記辞書に蓄積されている所定の数値以下の面積の島の数と照合する。
【００１９】
【発明の実施の形態】
以下、本発明の実施の形態について図面を参照しながら詳細に説明する。
【００２０】
図１は本発明の第１の実施の形態における媒体認識装置の構成を示すブロック図である。
【００２１】
図において、１０は本実施の形態における媒体認識装置であり、媒体の画像を取得するための画像取得部１４、該画像取得部１４を制御するための制御部１５、及び、前記画像取得部１４が取得した画像に基づいて、媒体の真偽を判別するための解析部１６を有する。ここで、前記媒体は、情報としての画像を備えるものであり、例えば、紙幣であるが、ビール券、ギフト券、商品券等の金券、トラベラーズチェック、小切手、株券等の有価証券、入場券等の施設利用券であってもよく、いかなる種類のものであってもよい。なお、本実施の形態においては、前記媒体が紙幣である場合について説明する。この場合、前記媒体認識装置１０は、複数種類の媒体を認識することができるものであり、例えば、該媒体が我が国の紙幣である場合、千円札、二千円札、五千円札及び一万円札の四種類の金種の紙幣を、それぞれ、認識することができる。さらに、前記媒体認識装置１０は、外国の紙幣をも認識することができるものであることが望ましい。
【００２２】
そして、前記媒体認識装置１０は、自動取引装置のように媒体として紙幣を受領する装置における紙幣の搬送経路や紙幣の取り扱い装置に配設され、受領した紙幣を認識する。なお、前記紙幣を受領する装置は、一般的には、銀行、信用金庫、郵便局、消費者金融会社等の金融機関の支店等の営業店や、コンビニエンスストア、スーパーマーケット等の商店の店舗に配設されているＡＴＭ、ＣＤ等の自動取引装置であるが、紙幣を受領するための装置であれば、鉄道、バス等の交通機関の券売機、飲料、タバコ等の自動販売機、両替機、ゲーム機等いかなる装置であってもよい。本実施の形態においては、前記紙幣を受領する装置が自動取引装置である場合について説明する。そして、前記紙幣を受領する装置は、媒体認識装置１０が認識した紙幣を真正な紙幣として取り扱い、媒体認識装置１０が認識しなかった紙幣を偽造紙幣のような不正な紙幣として排除する。
【００２３】
前記媒体認識装置１０は、ＣＰＵ、ＭＰＵ等の演算手段、磁気ディスク、半導体メモリ等の記憶手段、通信インターフェイス等を有するものである。そして、画像取得部１４は、例えば、カメラであり、撮像管、ＣＣＤ（Ｃｈａｒｇｅ  Ｃｏｕｐｌｅｄ  Ｄｅｖｉｃｅ）等の撮像手段を備え、媒体を撮影して、該媒体の画像を取得する。また、制御部１５は、前記画像取得部１４の動作を制御し、該画像取得部１４が取得した媒体の画像のイメージデータ、すなわち、媒体の画像データを前記画像取得部１４から受信し、解析部１６に送信する。
【００２４】
そして、該解析部１６は、複製された不正な媒体の画像におけるドットの集まりを検出する。具体的には、二値化処理を実行して、画像取得部１４が取得した媒体の画像を所定の閾（しきい）値を基準として二値化し、黒の画素と白の画素とに二分する。そして、黒の画素の塊である島の数を求め、あらかじめ辞書に蓄積されている真正な媒体の画像における島の数と照合することによって、前記媒体の真偽を判別する。なお、前記辞書は、媒体認識装置１０の記憶手段に格納されるものであるが、該記憶手段は、磁気テープ、磁気ディスク、磁気ドラム、フラッシュメモリ、ＣＤ−ＲＯＭ、ＭＤ、ＤＶＤ−ＲＯＭ、光ディスク、ＭＯ、ＩＣカード、光カード、メモリカード等、あらゆる形態の記憶媒体を含むものであり、取り外し可能な外部記憶媒体であってもよい。
【００２５】
次に、前記構成の媒体認識装置１０の動作について説明する。まず、画像取得部１４が取得した画像に基づいて、解析部１６が媒体の真偽を判別する方法について説明する。
【００２６】
図４は本発明の第１の実施の形態における画像取得部が取得した真正な媒体の特定部分の画像を示す図、図５は本発明の第１の実施の形態における解析部が二値化処理を実行した真正な媒体の特定部分の二値画像を示す図、図６は本発明の第１の実施の形態における画像取得部が取得した不正な媒体の特定部分の画像を示す図、図７は本発明の第１の実施の形態における解析部が二値化処理を実行した不正な媒体の特定部分の二値画像を示す図である。
【００２７】
まず、画像取得部１４が取得した真正な媒体の画像を、解析部１６が所定の閾値を基準として二値化して黒の画素と白の画素とに二分する方法について説明する。この場合、画像取得部１４は、真正な媒体の特定部分の画像を取得する。これにより、図４に示されるような画像が取得されたものとする。なお、前記特定部分は、細かい線や細かい模様などが描かれている部分であることが望ましく、あらかじめ選択されているものとする。
【００２８】
前記真正な媒体が紙幣である場合、インクの付く面が他より高い印刷版を使用する凸版印刷、インクの付く面が他より低い印刷版を使用する凹版印刷等の印刷方法によって印刷されるので、細い線までが鮮明に印刷されている。そのため、凸版印刷、凹版印刷等の印刷方法によって印刷された前記真正な媒体の画像は、画像取得部１４によって撮影された場合でも、図４に示されるように、細部まで均一、かつ、明瞭に映し出すことができる。
【００２９】
そして、解析部１６は、前記真正な媒体の画像データを制御部１５を介して画像取得部１４から受信すると、前記画像の二値化処理を実行する。この場合、前記解析部１６は、前記真正な媒体の画像を構成する各画素の濃度又は照度を示すデータ値を所定の閾値を基準として二値化する。例えば、前記データ値が画素の濃度を示す場合、データ値が前記閾値以上の画素をデータ値が１である黒の画素とし、データ値が前記閾値未満の画素をデータ値が０である白の画素とする。これにより、図５に示されるような、黒の画素と白の画素とに二分された真正な媒体の二値画像を得ることができる。
【００３０】
次に、画像取得部１４が取得した不正な媒体の画像を、解析部１６が所定の閾値を基準として二値化して黒の画素と白の画素とに二分する方法について説明する。この場合、画像取得部１４は、不正な媒体の特定部分の画像を取得する。これにより、図６に示されるような画像が取得されたものとする。なお、前記特定部分は、真正な媒体の特定部分と同一の部分である。
【００３１】
前記不正な媒体が、真正な媒体をカラースキャナで取り込みカラープリンタで印刷することによって複製したものである場合、又は、真正な媒体をカラーコピー機でコピーすることによって複製したものである場合、三原色、すなわち、Ｙ（イエロー）、Ｍ（マゼンタ）及びＣ（シアン）のドットを印刷する印刷方法によって印刷される。すなわち、三原色のドットの集まりとして印刷される。なお、前記三原色に加えて、ＢＫ（ブラック）のドットを印刷する場合もある。このように、ドットの集まりとして印刷されるので、前記不正な媒体の画像は、画像取得部１４によって撮影された場合、図６に示されるように、細い線を映し出すことができず、不明瞭であり、また、全体的に細かい濃淡ができてしまう。
【００３２】
そして、解析部１６は、前記不正な媒体の画像データを制御部１５を介して画像取得部１４から受信すると、前記画像の二値化処理を実行する。この場合、前記解析部１６は、前記不正な媒体の画像を構成する各画素の濃度又は照度を示すデータ値を所定の閾値を基準として二値化する。例えば、前記データ値が画素の濃度を示す場合、データ値が前記閾値以上の画素をデータ値が１である黒の画素とし、データ値が前記閾値未満の画素をデータ値が０である白の画素とする。これにより、図７に示されるような、黒の画素と白の画素とに二分された不正な媒体の二値画像を得ることができる。
【００３３】
ここで、図５に示されるような真正な媒体の二値画像と、図７に示されるような不正な媒体の二値画像とを比較すると、真正な媒体の二値画像においては細線がはっきり見られるのに対し、不正な媒体の二値画像においては細線が潰（つぶ）れてしまっていることが分かる。これは、複製された不正な媒体の画像がドットの集まりとして形成されたためである。これにより、真正な媒体と不正な媒体とを識別することができる。
【００３４】
次に、解析部１６が、二値画像に基づいて、真正な媒体と不正な媒体とを識別する方法について説明する。
【００３５】
図８は本発明の第１の実施の形態における真正な媒体の特定部分の細線を拡大した画像を示す図、図９は本発明の第１の実施の形態における真正な媒体の二値画像の特定部分の細線を拡大した画像を示す図、図１０は本発明の第１の実施の形態における不正な媒体の二値画像の特定部分の細線を拡大した画像を示す図である。
【００３６】
まず、画像取得部１４が取得した真正な媒体の特定部分に含まれる細線の画像を拡大すると、図８に示されるようになる。なお、図８におけるマス目のそれぞれは前記画像の画素を示し、前記画像取得部１４が備える撮像管、ＣＣＤ等の撮像手段の画素に対応する。
【００３７】
続いて、画像取得部１４が取得した真正な媒体の特定部分の二値画像、すなわち、図５に示されるような二値画像に含まれる細線の画像を拡大すると、図９に示されるようになる。なお、前記細線は、図８に示される細線と同一のものである。また、図９におけるマス目は、図８におけるマス目と同様に、前記画像の画素を示し、前記画像取得部１４が備える撮像管、ＣＣＤ等の撮像手段の画素に対応する。
【００３８】
続いて、画像取得部１４が取得した不正な媒体の特定部分の二値画像、すなわち、図７に示されるような二値画像に含まれる細線の画像を拡大すると、図１０に示されるようになる。なお、前記細線は、図８及び９に示される細線と同一のものである。また、図１０におけるマス目は、図８及び９におけるマス目と同様に、前記画像の画素を示し、前記画像取得部１４が備える撮像管、ＣＣＤ等の撮像手段の画素に対応する。
【００３９】
図１０に示されるように、不正な媒体の特定部分の二値画像における細線の画像は、複数に分離して、それぞれが黒の画素の塊である島を構成するようになっている。すなわち、前記細線の画像は複数の島から構成されている。これは、複製された不正な媒体の画像がドットの集まりとして形成されたことに起因し、不正な媒体の特定部分の二値画像では、図７に示されるように、細線が潰れてしまっているためである。
【００４０】
これに対し、真正な媒体の特定部分の二値画像における細線の画像は、図９に示されるように、分離することなく、黒の画素が集合して単一の大きな塊、すなわち、島を構成している。これは、真正な媒体の特定部分の二値画像では、図５に示されるように、細線がはっきり見られるためである。
【００４１】
このことから、真正な媒体の特定部分の二値画像においては島の数が少なく、不正な媒体の特定部分の二値画像においては島の数が多いことが分かる。島の数が多いのは、複製された不正な媒体の画像がドットの集まりとして形成されたことに起因していると考えることができる。そのため、媒体の特定部分の二値画像に含まれる島の数を比較することによって、真正な媒体と不正な媒体とを識別することができる。そこで、本実施の形態においては、あらかじめ真正な媒体の特定部分の画像を取得し、該画像の二値画像に含まれる島の数をカウントして、辞書に蓄積しておくようになっている。そして、解析部１６は、画像取得部１４が取得した媒体の特定部分の画像を二値化し、二値画像に含まれる島の数をカウントし、あらかじめ辞書に蓄積されている真正な媒体の画像における島の数と照合することによって、前記媒体の真偽を判別するようになっている。すなわち、カラープリンタで印刷したり、カラーコピー機でコピーすることによって複製された不正な媒体における画像の特徴であるドットの集まりを検出することによって、高い精度で真正な媒体と不正な媒体とを識別して媒体の真偽を判別する。
【００４２】
次に、本実施の形態における媒体認識装置１０の動作を説明する。
【００４３】
まず、媒体が紙幣である場合、該媒体は自動取引装置の紙幣取り扱い部に挿入される。すると、前記媒体は、自動取引装置内の搬送経路に沿って搬送され、媒体認識装置１０の位置に到達する。続いて、該媒体認識装置１０の画像取得部１４は、制御部１５によって制御されて、図４又は６に示されるような前記媒体の特定部分の画像を取得する。なお、前記特定部分はあらかじめ選択され、前記制御部１５が画像取得部１４を制御して、前記特定部分の画像を取得させる。
【００４４】
そして、前記制御部１５は、前記特定部分の画像データを画像取得部１４から受信し、解析部１６に送信する。続いて、該解析部１６は、前記媒体の画像データを制御部１５から受信すると、画像の二値化処理を実行する。これにより、図５又は７に示されるような媒体の特定部分の二値画像を得ることができる。続いて、前記解析部１６は、媒体の特定部分の二値画像に含まれる島の数をカウントし、あらかじめ辞書に蓄積されている真正な媒体の画像における島の数と照合する。そして、解析部１６は、前記媒体の特定部分の二値画像に含まれる島の数が前記辞書に蓄積されている島の数以下である場合、前記媒体が真正な媒体であると判断し、前記媒体の特定部分の二値画像に含まれる島の数が前記辞書に蓄積されている島の数より多い場合、前記媒体が不正な媒体であると判断する。なお、前記辞書に蓄積されている島の数には、ある程度の数値範囲を持つ許容範囲が設定されていることが望ましい。
【００４５】
このように、本実施の形態において、媒体認識装置１０は、取得した媒体の画像を二値化し、二値画像に含まれる島の数に基づいて、真正な媒体と不正な媒体とを識別するようになっている。これにより、カラープリンタで印刷したり、カラーコピー機でコピーすることによって複製された不正な媒体と、真正な媒体とを高い精度で識別することができ、媒体の真偽を判別することができる。
【００４６】
通常、凸版印刷、凹版印刷等の印刷方法によって印刷された真正な媒体の画像が細部まで均一で、かつ、明瞭である。これに対し、カラープリンタで印刷したり、カラーコピー機でコピーすることによって複製された不正な媒体は、ドットの集まりとして印刷されるので、前記不正な媒体の画像は、細い線を映し出すことができず、不明瞭である。そして、画像を二値化することによって、真正な媒体の画像と不正な媒体の画像とを明確に識別することができる。すなわち、本実施の形態においては、カラープリンタで印刷したり、カラーコピー機でコピーすることによって複製された不正な媒体における画像の特徴であるドットの集まりを検出することによって、高い精度で真正な媒体と不正な媒体とを識別して媒体の真偽を判別する。
【００４７】
したがって、本実施の形態においては、印刷の滲み、印刷のずれ等、媒体の品質にばらつきがあった場合でも、高い精度で真偽判別を行うことができる。そのため、適切に偽造媒体を排除することができる。
【００４８】
さらに、辞書に蓄積する情報は、真正な媒体の画像における島の数なので、辞書に蓄積される情報量を少なくすることができる。
【００４９】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５０】
図１１は本発明の第２の実施の形態における不正な媒体の二値画像の島の面積を示す図、図１２は本発明の第２の実施の形態における不正な媒体の二値画像の島の面積の分布を示す図、図１３は本発明の第２の実施の形態における真正な媒体の二値画像の島の面積の分布を示す図である。なお、図１２及び１３において、横軸に島の面積、縦軸に島の数を採ってある。
【００５１】
本実施の形態においては、媒体の特定部分の二値画像における島の数と面積との関係、すなわち、島の面積の分布状態に基づいて、真正な媒体と不正な媒体とを識別するようになっている。前記第１の実施の形態において説明した図７に示されるような画像取得部１４が取得した不正な媒体の特定部分の二値画像に含まれる細線の画像を拡大すると、図１１に示されるように、前記細線は、面積が１〜８の複数の島から構成されていることが分かる。なお、図１１は、前記第１の実施の形態において説明した図１０と実質的に同一のものである。また、島の面積の数値は、それぞれの島が占める図１１におけるマス目の数である。
【００５２】
図１１に示されるように、不正な媒体の特定部分の二値画像における細線の画像は、複数に分離して、それぞれが小さな面積の島を構成するようになっている。すなわち、前記細線の画像は、小さな面積の複数の島から構成されている。これは、複製された不正な媒体の画像がドットの集まりとして形成されたことに起因し、不正な媒体の特定部分の二値画像では、図７に示されるように、細線が潰れてしまっているためである。
【００５３】
そして、前記島の面積の分布状態を考えてみると、図１２に示されるように、ほぼ正規分布（ガウス分布）に近い分布状態となっていて、島の面積が所定の数値Ｙ以下の範囲にほとんどが含まれていることが分かる。また、島の数の総計が多いことも分かる。
【００５４】
これに対し、真正な媒体の場合、前記第１の実施の形態において説明した図５に示されるような画像取得部１４が取得した媒体の特定部分の二値画像に含まれる細線の画像を拡大すると、図９に示されるように、前記細線は、分離することなく、単一の大きな島を構成している。そして、該島の面積の分布状態を考えてみると、図１３に示されるように、島の面積の広い範囲に亘（わた）ってほぼ均等に分布した状態となっていて、島の面積がＹ以上の範囲にも多くが含まれていることが分かる。また、島の数の総計が少ないことも分かる。
【００５５】
このことから、真正な媒体の特定部分の二値画像においては島の面積は広い範囲に分布し、不正な媒体の特定部分の二値画像においては島の面積は所定の数値Ｙ以下の範囲に集中していることが分かる。島の面積が所定の数値Ｙ以下の範囲に集中しているのは、複製された不正な媒体の画像がドットの集まりとして形成されたことに起因していると考えることができる。
【００５６】
そこで、本実施の形態においては、あらかじめ真正な媒体の特定部分の画像を取得し、該画像の二値画像に含まれる島の面積の分布状態を調べ、所定の数値Ｙ以下の面積の島の数をカウントして、辞書に蓄積しておくようになっている。そして、解析部１６は、画像取得部１４が取得した媒体の特定部分の画像を二値化し、二値画像に含まれる所定の数値Ｙ以下の面積の島の数をカウントし、あらかじめ辞書に蓄積されている真正な媒体の画像における島の数と照合することによって、前記媒体の真偽を判別するようになっている。すなわち、カラープリンタで印刷したり、カラーコピー機でコピーすることによって複製された不正な媒体における画像の特徴であるドットの集まりを検出することによって、高い精度で真正な媒体と不正な媒体とを識別して媒体の真偽を判別する。
【００５７】
具体的には、真正な媒体の特定部分の二値画像における所定の数値Ｙ以下の面積の島の数をＹ（ａ）とし、不正な媒体の特定部分の二値画像における所定の数値Ｙ以下の面積の島の数をＹ（ｂ）とすると、次の式（１）の関係が成立すると言える。
Ｙ（ｂ）＞Ｙ（ａ）・・・式（１）
そのため、本実施の形態における辞書には、前記Ｙ（ａ）の数値があらかじめ蓄積されている。そして、解析部１６は、画像取得部１４が取得した媒体の特定部分の画像を二値化し、二値画像に含まれる所定の数値Ｙ以下の面積の島の数をカウントし、前記Ｙ（ａ）以下であれば、前記媒体が真正な媒体であると判断する。また、カウントした島の数が前記Ｙ（ａ）より大であれば、前記媒体が不正な媒体であると判断する。
【００５８】
このように、本実施の形態において、媒体認識装置１０は、取得した媒体の画像を二値化し、二値画像に含まれる島の数と面積との関係、すなわち、島の面積の分布状態に基づいて、真正な媒体と不正な媒体とを識別するようになっている。これにより、カラープリンタで印刷したり、カラーコピー機でコピーすることによって複製された不正な媒体と真正な媒体とを、前記第１の実施の形態よりも高い精度で識別することができ、媒体の真偽を判別することができる。
【００５９】
そして、カラープリンタで印刷したり、カラーコピー機でコピーすることによって複製された不正な媒体における画像の特徴であるドットの集まりを検出することによって、高い精度で真正な媒体と不正な媒体とを識別して媒体の真偽を判別するので、印刷の滲み、印刷のずれ等、媒体の品質にばらつきがあった場合でも、高い精度で真偽判別を行うことができる。そのため、適切に偽造媒体を排除することができる。
【００６０】
また、辞書に蓄積する情報は、真正な媒体の画像における所定の数値Ｙ以下の面積の島の数なので、辞書に蓄積される情報量を少なくすることができる。
【００６１】
なお、本発明の実施の形態においては、媒体が紙幣である場合について説明したが、特にこれに限ったものではなく、凸版印刷、凹版印刷等の印刷方法によって印刷されたすべての印刷物について、カラープリンタで印刷したり、カラーコピー機でコピーすることによって複製された不正な媒体に対して用いることができる。
【００６２】
また、本発明は前記実施の形態に限定されるものではなく、本発明の趣旨に基づいて種々変形させることが可能であり、それらを本発明の範囲から排除するものではない。
【００６３】
【発明の効果】
以上詳細に説明したように、本発明によれば、高い精度で真正な媒体と不正な媒体とを識別して媒体の真偽を判別することができ、偽造媒体を適切に排除することができる。
【図面の簡単な説明】
【図１】本発明の第１の実施の形態における媒体認識装置の構成を示すブロック図である。
【図２】従来の媒体認識装置の概略を示す斜視図である。
【図３】従来の媒体認識装置によって得られた出力を示す図である。
【図４】本発明の第１の実施の形態における画像取得部が取得した真正な媒体の特定部分の画像を示す図である。
【図５】本発明の第１の実施の形態における解析部が二値化処理を実行した真正な媒体の特定部分の二値画像を示す図である。
【図６】本発明の第１の実施の形態における画像取得部が取得した不正な媒体の特定部分の画像を示す図である。
【図７】本発明の第１の実施の形態における解析部が二値化処理を実行した不正な媒体の特定部分の二値画像を示す図である。
【図８】本発明の第１の実施の形態における真正な媒体の特定部分の細線を拡大した画像を示す図である。
【図９】本発明の第１の実施の形態における真正な媒体の二値画像の特定部分の細線を拡大した画像を示す図である。
【図１０】本発明の第１の実施の形態における不正な媒体の二値画像の特定部分の細線を拡大した画像を示す図である。
【図１１】本発明の第２の実施の形態における不正な媒体の二値画像の島の面積を示す図である。
【図１２】本発明の第２の実施の形態における不正な媒体の二値画像の島の面積の分布を示す図である。
【図１３】本発明の第２の実施の形態における真正な媒体の二値画像の島の面積の分布を示す図である。
【符号の説明】
１０    媒体認識装置
１４    画像取得部
１６    解析部
【図１】
2005004321.tif 000003
【図２】
2005004321.tif 000004
【図３】
2005004321.tif 000005
【図４】
2005004321.tif 000006
【図５】
2005004321.tif 000007
【図６】
2005004321.tif 000008
【図７】
2005004321.tif 000009
【図８】
2005004321.tif 000010
【図９】
2005004321.tif 000011
【図１０】
2005004321.tif 000012
【図１１】
2005004321.tif 000013
【図１２】
2005004321.tif 000014
【図１３】
2005004321.tif 000015